(57)【要約】  ソース機器からシンク機器へシンク機器の受信規格に合わないＡＶデータが送られてきたことによる音声再生もしくは映像表示の異常時に、それまでの制御情報に応じた状態を維持しながら正常な音声再生もしくは映像表示を再開するもので、ＡＶ信号の各種のパラメータを取得するパラメータ取得部と、設定情報を取得するＡＶ設定情報取得部と、パラメータ取得部により取得された各種のパラメータがＥＤＩＤに応じたものでない場合にはホットプラグ検出ラインの状態を変化させてソース機器にＥＤＩＤの伝送を要求させ、その後送られてきたＡＶ信号による音声再生および映像表示を行う際にＡＶ情報取得部により取得された設定情報に応じた音声再生および映像表示を行う制御部と、を有する。
2018163358.tif 000002
【特許請求の範囲】
【請求項１】
ホットプラグ検出ラインの状態に応じてＥＤＩＤ伝送を要求するとともに伝送されたＥＤＩＤに応じたＡＶ信号および該ＡＶ信号に対する設定情報を示す制御信号を送信するソース機器と接続され、前記ＡＶ信号および制御信号に応じた音声再生および映像表示を行う電子機器であって、
前記ＡＶ信号の各種のパラメータを取得するパラメータ取得部と、
前記設定情報を取得するＡＶ設定情報取得部と、
前記パラメータ取得部により取得された各種のパラメータが前記ＥＤＩＤに応じたものでない場合には前記ホットプラグ検出ラインの状態を変化させて前記ソース機器に前記ＥＤＩＤの伝送を要求させ、その後送られてきた前記ＡＶ信号による音声再生および映像表示を行う際に前記ＡＶ情報取得部により取得された設定情報に応じた音声再生および映像表示を行う制御部と、を有する電子機器。
【請求項２】
請求項１記載の電子機器において、
前記パラメータ取得部が取得するパラメータが音声を再生するときの基準となる周波数を含む、電子機器。
【請求項３】
請求項１または請求項２記載の電子機器において、
前記パラメータ取得部が取得するパラメータが音声ＩＮＦＯ  ＦＲＡＭＥの有無を含む、電子機器。
【請求項４】
請求項２に記載の電子機器において、
前記パラメータ取得部が取得するパラメータが音声ＩＮＦＯ  ＦＲＡＭＥ中の音声ＢＩＴ幅情報を含む、電子機器。
【請求項５】
請求項１ないし請求項４のいずれかに記載の電子機器において、
前記設定情報がＡＶ  ＭＵＴＥである、電子機器。
【請求項６】
ホットプラグ検出ラインの状態に応じてＥＤＩＤ伝送を要求するとともに伝送されたＥＤＩＤに応じたＡＶ信号および該ＡＶ信号に対する設定情報を示す制御信号を送信するソース機器と接続され、前記ＡＶ信号および制御信号に応じた音声再生および映像表示を行う電子機器で行われる表示方法であって、
前記ＡＶ信号の各種のパラメータを取得し、
前記設定情報を取得し、
前記取得された各種のパラメータが前記ＥＤＩＤに応じたものでない場合には前記ホットプラグ検出ラインの状態を変化させて前記ソース機器に前記ＥＤＩＤの伝送を要求させ、その後送られてきた前記ＡＶ信号による音声再生および映像表示を行う際に前記取得された設定情報に応じた音声再生および映像表示を行う、表示方法。
【発明の詳細な説明】
【技術分野】
【０００１】
本発明は電子機器に関し、特に、信号の送信側となるソース（Ｓｏｕｒｃｅ）機器と接続される、信号の受信側となるシンク機器（Ｓｉｎｋ）として動作する電子機器と該電子機器で行われる表示方法に関する。
【背景技術】
【０００２】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）などのインターフェースでは、映像信号および音声信号（以下、ＡＶ信号:  Ａｕｄｉｏ Ｖｉｓｕａｌ  信号と称する）を供給するＰＣ（Ｐｅｒｓｏｎａｌ  Ｃｏｍｐｕｔｅｒ）などのソース機器と供給された映像信号による表示を行うプロジェクタなどのシンク機器がケーブルにより接続される。
シンク機器はＥＤＩＤ（Ｅｘｔｅｎｄｅｄ  Ｄｉｓｐｌａｙ  Ｉｄｅｎｔｉｆｉｃａｔｉｏｎ  Ｄａｔａ：エクステンデッド  ディスプレイ  アイデンティフィケーション  データ）と呼ばれるシンク機器自身の情報や、対応している機能や、性能に関する情報が収録されたデータを保持しており、ソース機器と接続された際に、ＥＤＩＤをソース機器に送信する。ソース機器はシンク機器から送られてきたＥＤＩＤを参照してシンク機器に合ったＡＶ信号を出力する。【０００３】
図１は、ソース機器とシンク機器の接続時の処理を時系列で示す図である。図１に示される接続処理は、ソース機器が、ソース機器に接続されたシンク機器の映像受信部へ＋５Ｖを供給することから始まる。＋５Ｖ供給は、ソース機器とシンク機器を接続するＨＤＭＩケーブル内の＋５Ｖ専用のラインを通じて行われ、シンク機器内の映像受信部へ＋５Ｖが供給される。シンク機器の映像受信部はこの＋５Ｖの電源により動作を開始する。
映像受信部が動作を開始するとシンク機器は、不揮発性メモリ（例えば、ＳＲＡＭ（Ｓｔａｔｉｃ  Ｒａｎｄｏｍ  Ａｃｃｅｓｓ  Ｍｅｍｏｒｙ）に記憶されている自身のＥＤＩＤを読み出す等のＡＶ信号を受信するための準備を行い、準備が完了すると、ＨＤＭＩケーブル内のＨＰＤ（ホットプラグ  Ｄｅｔｅｃｔ）ラインをＬ（＝Ｌｏｗ）からＨ（＝Ｈｉｇｈ）とする。【０００４】
ソース機器は、ＨＰＤがＨとなったことで映像信号を受信することが可能なシンク機器が接続されたことを判断する。シンク機器が接続されたと判断したソース機器は、出力する映像信号を選択するため、ＨＤＭＩケーブル内のＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ）ラインを通じてシンク機器にＥＤＩＤの送信を求める。シンク機器はこの指示に従ってＥＤＩＤを送信し、ソース機器は受信したＥＤＩＤに示されるシンク機器に合ったＡＶ信号を出力する。この時、ＥＤＩＤ等の映像表示機器間の制御信号の伝送には、ＤＤＣやＣＥＣ（Ｃｏｎｓｕｍｅｒ  Ｅｌｅｃｔｒｏｎｉｃｓ  Ｃｏｎｔｒｏｌ）が用いられる。この、接続処理を行う際にシンク機器の電源が入っていない場合には、不揮発性メモリに記録されたＥＤＩＤを伝送することは出来ない。【０００５】
ＥＤＩＤがソース機器に正確に伝送されなかった場合には、シンク機器に応じた映像信号および音声信号が供給されず、正常な映像の表示および音声の提供を行うことができない。
特許文献１（特開２００７−０７８９８０号公報）には、ソース機器がＥＤＩＤ記述外のデータをシンク機器へ送信して来た時に、シンク機器はソース機器に対して再度ＥＤＩＤの取得処理を実行させることを目的とし、ソース機器からのビデオデータおよびオーディオデータを受信した時に、ＥＤＩＤ記述のデータを受信したか否かを判定し、ＥＤＩＤ記述外のデータを受信したと判定した場合には、ホットプラグをオフさせ、その後、ホットプラグをオンすることが開示されている。
【先行技術文献】
【特許文献】
【０００６】
【特許文献１】特開２００７−０７８９８０号公報
【発明の概要】
【発明が解決しようとする課題】
【０００７】
シンク機器はソース機器から送られてきたＡＶ信号に応じた映像の表示および音声再生を行う。また、これらの映像表示、音声再生はソース機器から送られてきた制御信号に応じてＡＶ信号への加工も行う。制御信号はソース機器本体への設定入力、もしくは、ソース機器の動作を操作するリモートコントロール装置への設定入力に応じてソース機器に設定された制御情報を示すもので、ソース機器は設定された制御情報に応じた制御信号をシンク機器に送信する。制御情報によるＡＶ信号の加工例としては、音声の場合には音声を消音状態（ＭＵＴＥ）とすることが挙げられ、表示の場合には、字幕のオンオフや表示映像の輝度および色合いの調整をすること、例えば表示映像を全面黒の表示状態にすることなどが挙げられる。
上述した特許文献１に記載の発明では、シンク機器がＥＤＩＤ記述外のデータを受信したときに、ホットプラグをオフ、オンさせることによりソース機器にＥＤＩＤを再送信させてシンク機器の規格に沿ったＡＶ信号を受信する構成となっているが、ソース機器はホットプラグを受け付けてＥＤＩＤ伝送を要求する際にリセット状態となる。このため、ソース機器の利用者は、再送信されたＥＤＩＤに応じたＡＶ信号を送信した後、再度制御情報の設定を行う必要があり、煩わしいものとなっていた。【０００８】
本発明は、ソース機器からシンク機器へシンク機器の受信規格に合わないＡＶデータが送られてきたことによる音声再生もしくは映像表示の異常時に、それまでの制御情報に応じた状態を維持しながら正常な音声再生もしくは映像表示を再開する電子機器および表示方法を実現する。
【課題を解決するための手段】
【０００９】
本発明による電子機器は、ホットプラグ検出ラインの状態に応じてＥＤＩＤ伝送を要求するとともに伝送されたＥＤＩＤに応じたＡＶ信号および該ＡＶ信号に対する設定情報を示す制御信号を送信するソース機器と接続され、前記ＡＶ信号および制御信号に応じた音声再生および映像表示を行う電子機器であって、
前記ＡＶ信号の各種のパラメータを取得するパラメータ取得部と、
前記設定情報を取得するＡＶ設定情報取得部と、
前記パラメータ取得部により取得された各種のパラメータが前記ＥＤＩＤに応じたものでない場合には前記ホットプラグ検出ラインの状態を変化させて前記ソース機器に前記ＥＤＩＤの伝送を要求させ、その後送られてきた前記ＡＶ信号による音声再生および映像表示を行う際に前記ＡＶ情報取得部により取得された設定情報に応じた音声再生および映像表示を行う制御部と、を有する。【００１０】
本発明による表示方法は、ホットプラグ検出ラインの状態に応じてＥＤＩＤ伝送を要求するとともに伝送されたＥＤＩＤに応じたＡＶ信号および該ＡＶ信号に対する設定情報を示す制御信号を送信するソース機器と接続され、前記ＡＶ信号および制御信号に応じた音声再生および映像表示を行う電子機器で行われる表示方法であって、
前記ＡＶ信号の各種のパラメータを取得し、
前記設定情報を取得し、
前記取得された各種のパラメータが前記ＥＤＩＤに応じたものでない場合には前記ホットプラグ検出ラインの状態を変化させて前記ソース機器に前記ＥＤＩＤの伝送を要求させ、その後送られてきた前記ＡＶ信号による音声再生および映像表示を行う際に前記取得された設定情報に応じた音声再生および映像表示を行う。
【発明の効果】
【００１１】
上記の構成を備える本発明においては、音声再生もしくは映像表示の異常時に、それまでの制御情報に応じた状態を維持しながら正常な音声再生もしくは映像表示を再開する。
【図面の簡単な説明】
【００１２】
【図１】ソース機器とシンク機器の接続時の処理を時系列で示す図である。
【図２】本発明による電子機器の一実施形態の構成を示すブロック図である。
【図３】本発明による電子機器の一実施形態の動作を示すフローチャートである。
【発明の実施の形態】
【００１３】
次に、本発明の実施形態について図面を参照して説明する。図２は本発明による電子機器の一実施形態の要部構成を示すブロック図である。本実施形態は、ソース機器としてのＰＣ１と本発明による電子機器である、シンク機器としてのプロジェクタ１８から構成されている。
ＰＣ１にはグラフィックボード２が設けられている。プロジェクタ１８にはデジタル信号処理部６と制御部１７が設けられている。
【００１４】
デジタル信号処理部６には、ホットプラグ検出部７、ホットプラグ制御部８、ＤＤＣ／ＣＩ通信部９、およびＡＶ信号デコード部１０が設けられ、制御部１７には、ホットプラグ検出処理部１４、ホットプラグ制御処理部１５、ＡＶ信号異常判定処理部１６、および、ＡＶ設定情報処理部２０が設けられている。ＡＶ信号デコード部１０にはＡＶ信号第１取得部１１、ＡＶ信号第２取得部１２、ＡＶ信号第ｎ取得部１３、および、ＡＶ設定情報取得部１９が設けられている。
グラフィックボード２とデジタル信号処理部６とは、ホットプラグ検出ライン３、ＤＤＣ／ＣＩ通信ライン４、および、映像／音声信号ライン５で接続されている。これらは、ＨＤＭＩケーブル（不図示）内に設けられるもので、グラフィックボード２とデジタル信号処理部６は実際にはＨＤＭＩケーブルにより接続されている。
【００１５】
プロジェクタ１８には図２に示した構成の他に、音声を再生するための構成や映像を投写するための投写光学系、およびＥＤＩＤを格納する蓄積部などが設けられているがこれらはすべて一般的な構成のものであり、また、本発明の動作には特に関与しないため、図示および説明は省略する。
ホットプラグ検出ライン３は、ＰＣ１側ではＰＣ１内部の電源にプルアップされており、シンク機器であるプロジェクタ１８側がＨ（Ｈｉｇｈ）／Ｌ（Ｌｏｗ）レベルの制御を行う。ＤＤＣ／ＣＩ通信ライン４はＥＤＩＤのやり取りを行う際に用いられる。
【００１６】
デジタル信号処理部６は、ホットプラグ検出、ホットプラグ制御、ＤＤＣ／ＣＩ通信、音声信号および映像信号を含むＡＶ信号のデコードを行う。
ホットプラグ制御部８は、ＰＣ１のグラフィックボード２へのホットプラグ検出ライン３のＨ／Ｌの状態を制御し、ホットプラグ検出部７は、ＰＣ１のグラフィックボード２へのホットプラグ検出ライン３を検出してホットプラグ検出処理部１４へ検出結果を出力する。ＤＤＣ／ＣＩ通信部９は、ＤＤＣ／ＣＩ通信ライン４を介してＰＣ１のグラフィックボード２とＨＤＭＩ認証、ＥＤＩＤのやりとりを行う。
【００１７】
ＡＶ信号デコード部１０は、映像／音声信号ライン５を介して送られてきたＡＶ信号をデコードして映像信号および音声信号とする。ＡＶ信号第１取得部１１、ＡＶ信号第２取得部１２、および、ＡＶ信号第ｎ取得部１３は、デコードにより得られた映像信号および音声信号を構成する各種のパラメータを取得するものである。図２には３つの取得部しか示されていないが、音声信号および映像信号の各種パラメータに対応して設けられる構成であり、実際にはより多くの取得部が設けられる。
【００１８】
ＡＶ設定情報取得部１９は、映像／音声信号ライン５を介してＰＣ１のグラフィックボード２から送られてきた制御信号に示される設定情報を取得する。
制御部１７に設けられるＡＶ設定情報処理部２０は、ＡＶ設定情報取得部１９が取得した設定情報を記憶する。ＡＶ信号異常判定処理部１６は、パラメータ取得部としての、ＡＶ信号第１取得部１１、ＡＶ信号第２取得部１２、および、ＡＶ信号第ｎ取得部１３により得られた音声信号および映像信号の各種パラメータがＥＤＩＤに応じているかを確認することによりＡＶ信号が異常であるかを判定し、判定結果をホットプラグ制御処理部１５へ出力する。ホットプラグ制御処理部１５は、ＡＶ信号異常判定処理部１６からＡＶ信号が異常である旨の判定通知を受け付けると、ホットプラグ制御部８にホットプラグ検出ラインをＨにさせる。ホットプラグ検出処理部１４は、ホットプラグ検出部７からのホットプラグ検出ライン３の検出結果をホットプラグ制御処理部１５へ送出し、ホットプラグ制御処理部１５はこれによりホットプラグ検出ライン３の状態を確認する。
【００１９】
次に、本実施形態の動作について説明する。
上述したように、ＡＶ信号第１取得部１１、ＡＶ信号第２取得部１２、および、ＡＶ信号第ｎ取得部１３は音声信号および映像信号の各種パラメータを取得し、ＡＶ信号異常判定処理部１６は、取得された各種パラメータがＥＤＩＤに応じているかを確認する。また、ＡＶ設定情報処理部２０には設定情報を記憶する。取得されるパラメータおよび設定情報にはさまざまな種類が考えられ、特に限定されるものではないが、理解を容易とするために、以下の説明においては、ＡＶ信号第１取得部１１は音声信号の周波数を取得し、ＡＶ信号第２取得部１２は音声Ｉｎｆｏ  Ｆｒａｍｅの有無を検出し、ＡＶ信号第ｎ取得部１３は、音声信号のビット幅を取得するものとし、ＡＶ信号異常判定処理部１６はこれらがＥＤＩＤに応じているかを確認することとし、ＡＶ設定情報処理部２０は設定情報としてＡＶ  ＭＵＴＥを記憶することとして説明する。なお、本実施形態では、ＡＶ ＭＵＴＥ有のときは、音声を消音状態（ＭＵＴＥ）とし、表示映像を全面黒の表示状態にすることとする（映像／音声ＭＵＴＥをＯＮにする）。また、ＡＶ ＭＵＴＥ無のときは、外部装置（ＰＣ１など）から入力された映像／音声を再生する（映像／音声  ＭＵＴＥをＯＦＦにする）。なお、上記の設定に限定されず、例えば、音声または映像のどちらか一方（異常と判定された音声または映像のどちらか一方）を上記状態にしてもよい。また、表示映像は全面黒ではなく、プロジェクタ１８内部に保存されているデータに基づき生成される画像を表示するようにしてもよい。
【００２０】
前提条件として、ＰＣ１のグラフィックボード２からＨＤＭＩ信号が出力され、かつ、ホットプラグ検出ライン３、ＤＤＣ／ＣＩ通信ライン４、映像／音声信号ライン５がＨＤＭＩケーブルによってプロジェクタ１８に接続された状態とする。
ＰＣ１へのユーザー操作により、ＰＣ１は映像／音声信号ライン５に、ＡＶ  ＭＵＴＥ情報をＯＮにしたＨＤＭＩ映像／音声信号を出力する。
ＰＣ１に接続されているＨＤＭＩケーブルをプロジェクタ１８に接続すると、ホットプラグ検出部７が“Ｈ”を検出する。“Ｈ”を検出するとホットプラグ検出処理部１４はソース機器が接続されたと認識し、ホットプラグ制御処理部１５に通知する。
【００２１】
ホットプラグ検出処理部１４からの通知を受けたホットプラグ制御処理部１５は、ホットプラグ制御部８に対してホットプラグ下げ上げを行うように指示する。
指示を受けたホットプラグ制御部８はホットプラグの下げ上げを行う。
グラフィックボード２は、ホットプラグの下げ上げを検知すると、ＤＤＣ／ＣＩ通信ライン４を用いてプロジェクタ１８の対応解像度、対応リフレッシュレート情報等を取得し、さらに、ＨＤＭＩ認証を行った後に対応解像度及び対応リフレッシュレートに応じた信号を出力する。
【００２２】
プロジェクタ１８は、ＰＣ１から出力された信号映像／音声ライン５からＨＤＭＩ信号映像／音声が入力されると、信号判別を行い入力信号解像度、入力リフレッシュレートなどを求め映像を表示し、音声を出力するための最適な設定をプロジェクタ１８内部のハードウェアに設定する。
また、プロジェクタ１８は、ＨＤＭＩ映像／音声信号に付加されている音声ＩＮＦＯ  ＦＲＡＭＥの有無、および、音声ＩＮＦＯ  ＦＲＡＭＥ中の音声ＢＩＴ幅情報を定期的に取得する。
【００２３】
図３は、ＰＣ１とプロジェクタ１８がＨＤＭＩケーブルで接続されているときに、制御部１７により定期的に行われる制御動作を示すフローチャートである。
プロジェクタ１８では、ＡＶ設定情報取得部１９で受信したＨＤＭＩ映像／音声信号中のＡＶ  ＭＵＴＥ情報を取得し、ＡＶ設定情報処理部２０に記憶する。本実施形態の場合、ＡＶ  ＭＵＴＥありなので、映像／音声ＭＵＴＥをＯＮにしている（ステップ３１）。
【００２４】
ＡＶ信号異常判定処理部１６は、定期的に取得している音声Ｆｒｅｑ及び音声ＩＮＦＯＦＲＡＭＥ情報を元に、［音声周波数（Ｆｒｅｑ）が規定以外］であるかを確認し（ステップ３２）、［音声ＩＮＦＯ  ＦＲＡＭＥがあるか］を確認し（ステップ３３）、［音声ＢＩＴ幅情報が規定値以外］であるかを確認する（ステップ３４）。なお、音声周波数は音声を再生するときに用いられる基準となる周波数（クロック周波数など）である。アナログ音声信号をデジタル音声信号に変換するときに用いられるサンプリング周波数に対応する周波数としてもよい。
ステップ３２では音声周波数が４４．１ｋＨｚ／４８ｋＨｚ／３２ｋＨｚ／８８．２ｋＨｚ／７６８ｋＨｚ／９６ｋＨｚ／１７６．４ｋＨｚ／１９２ｋＨｚ／６４ｋＨｚ／１２８ｋＨｚ／２５６ｋＨｚ／５１２ｋＨｚ／１０２４ｋＨｚ／３５２．８ｋＨｚ／７０５．６ｋＨｚ／１４１１．２ｋＨｚ／３８４ｋＨｚ／１５３６ｋＨｚ以外であるかが確認される。また、ステップ３４では音声ＩＮＦＯ  ＦＲＡＭＥ中の音声ＢＩＴ幅情報が１６ｂｉｔ／１８ｂｉｔ／２０ｂｉｔ／２４ｂｉｔ以外であるかが確認される。
【００２５】
ステップ３２〜３４の結果、音声周波数が規定内であり、音声ＩＮＦＯ  ＦＲＡＭＥがあり、音声ＢＩＴ幅情報が規定値内であることが確認された場合にはステップ３１に戻り、それ以外の場合にはＡＶ異常判定処理部１６はＡＶ信号が異常状態と判断する。
このとき音声パケットもしくは音声ＩＮＦＯＦＲＡＭＥ情報が異常状態のためプロジェクタ１８からの音声出力は異常音もしくは音声が出力されない状態となる。
上記のように異常状態と判断されたため、ホットプラグの下げ上げを行うが、このとき、ホットプラグの下げ上げによるソース機器における映像／音声の出力再設定が想定されるため、乱れた映像もしくはノイズ音を出さないためにＡＶ信号異常判定処理部１６は映像／音声ＭＵＴＥをＯＮにする（ステップ３５）。
【００２６】
次に、ホットプラグ制御処理部１５にホットプラグ下げ上げの指示を行い（ステップ３６）、ホットプラグ制御部８はホットプラグの下げ上げを行う。
ソース機器であるＰＣ１では、ホットプラグが下げ上げされたことにより映像／音声の出力再設定が行われる。
映像／音声の出力再設定が行われたことにより、プロジェクタ１８は、信号再判別を行う（ステップ３７）。
次に、記憶したＡＶ設定情報を確認する（ステップ３８）。本実施形態の場合にはＡＶ  ＭＵＴＥ有であるため、映像／音声  ＭＵＴＥを継続する（ステップ３９）。ここで、確認したＡＶ設定状態がＡＶ  ＭＵＴＥ無であれば、映像／音声  ＭＵＴＥをＯＦＦにする（ステップ４０）。
【００２７】
本実施形態では、音声が異常状態のためにシンク機器側で音声が出力されない場合に、シンク機器側でホットプラグの下げ上げを行うことによりソース機器に出力再設定を行わせることで、ＨＤＭＩケーブルの抜き差しと同等な動作となり自動的に音声が出力されるようにする。
また、ＡＶ  ＭＵＴＥ中に音声パケットが異常状態となった場合でも、ＡＶ  ＭＵＴＥ状態を維持したまま自動的に異常状態を解消できる。
なお、ホットプラグの下げ上げを行っても音声パケットの異常状態となった場合は無限にホットプラグの下げ上げを行うことになる。このようなことを避けるために、所定の回数行っても音声パケットの異常状態が続く場合には下げ上げを行わないようにすることとしてもよい。
【００２８】
さらに、本実施形態ではＨＤＭＩを使用しているが、ＤＶＩ、ＤＰなどのようにＨＤＭＩと異なるインターフェースを使用する場合であっても、本実施形態と同様のシーケンス制御を導入する事が可能である。
さらに、本実施形態では図３に示される動作を定期的に行うこととしたが、ステップ３９もしくはステップ４０の後にステップ３１に戻ることとしてもよい。
さらに、ＡＶ信号の各種パラメータとして、音声信号における、音声周波数、音声ＩＮＦＯ  ＦＲＡＭＥの有無、音声ＢＩＴ幅情報を用いることとして説明した。映像信号のパラメータとしては、フィールド周波数や解像度などを用いることができ、ＡＶ信号異常判定部１６はこれらによりＡＶ信号（映像信号）が異常であるかを判定することとしてもよい。
本実施形態では、シンク機器としてプロジェクタ１８を用いて説明したが、これに限定されず、ディスプレイやテレビなどの表示装置としてもよい。
【符号の説明】
【００２９】
１    ＰＣ
２    グラフィックボード
３    ホットプラグ検出ライン
４    ＤＤＣ／ＣＩ通信ライン
５    映像／音声信号ライン
６    デジタル信号処理部
７    ホットプラグ検出部
８    ホットプラグ制御部
９    ＤＤＣ／ＣＩ通信部
１０    ＡＶ信号デコード部
１１    ＡＶ信号第１取得部
１２    ＡＶ信号第２取得部
１３    ＡＶ信号第ｎ取得部
１４    ホットプラグ検出処理部
１５    ホットプラグ制御処理部
１６    ＡＶ信号異常判定処理部
１７    制御部
１８    プロジェクタ
２０    ＡＶ設定情報処理部
【図１】
2018163358.tif 000003
【図２】
2018163358.tif 000004
【図３】
2018163358.tif 000005
【国際調査報告】
2018163358.tif 000006
2018163358.tif 000007
2018163358.tif 000008
2018163358.tif 000009